(57)【要約】  蛍光ランプの電力消費を低減するため、蛍光ランプは高効率蛍光塗料を設けられ、従来の放射量を受けると、より多い光を生成する。ランプへの供給電力の低減は、蛍光塗料へ供給される放射及び従ってランプの光出力を低減する。蛍光塗料の光出力の増加により、蛍光ランプの光出力レベルは、実質的に従来のランプの光出力レベルと等しく保たれ得る。
2009517803.tif 000002
【特許請求の範囲】
【請求項１】
蛍光ランプであって、内表面に蛍光塗料を有する放電管を有し、前記蛍光塗料は高効率な種類であり、前記ランプは、従来の光出力が得られるよう供給電流を制御する省電力回路を設けられる、蛍光ランプ。
【請求項２】
前記省電力回路は切り替え回路を有する、請求項１記載の蛍光ランプ。
【請求項３】
前記切り替え回路はＴＲＩＡＣ調光回路を有する、請求項２記載の蛍光ランプ。
【請求項４】
前記省電力回路は、動作中、バラスト回路と前記放電管内に設けられた電極との間に接続される、請求項１、２、又は３記載の蛍光ランプ。
【請求項５】
接続ピンを備えられ、及び前記蛍光ランプが従来の蛍光ランプを置き換える改装部品ランプとして用いられるよう大きさを決められる、前記請求項の１又は複数に記載の蛍光ランプ。
【請求項６】
照明装置であって、従来の蛍光ランプの光出力と等しい光出力が得られるよう供給電流を制御する省電力回路と結合されたＬＥＤ列、を有する照明装置。
【請求項７】
省電力回路と接続された２個の逆並列ＬＥＤ列、を有する請求項６記載の照明装置。
【請求項８】
前記省電力回路は切り替え回路を有する、請求項６又は７記載の照明装置。
【請求項９】
前記切り替え回路はＴＲＩＡＣ調光回路を有する、請求項８記載の照明装置。
【請求項１０】
接続ピンを備えられ、及び前記照明装置が従来の蛍光ランプを置き換える改装部品ランプとして用いられるよう大きさを決められる、請求項６乃至９の１又は複数に記載の照明装置。
【発明の詳細な説明】
【技術分野】
【０００１】
本発明は、蛍光ランプ及び照明用途における省電力の方法に関する。
【背景技術】
【０００２】
今日多くの技術分野で、開発は省電力に向かっている。照明用途では、このようなランプの電力消費の低減が進められている。
【０００３】
照明の電力消費を低減する知られている方法は、例えば人の存在を検知することにより照明が必要ない場合に、ある種の調光器回路を用いランプを調光する、及び／又はランプの電源を切ることである。しかしながら、これらの方法では、ランプは依然としてオン状態で同一量のエネルギーを使用するか、又はランプは低い光出力レベルを有する。
【０００４】
蛍光ランプ、特にＴＬのような電磁気ランプは良く知られたエネルギー効率の良いランプである。これらの種類のランプの開発は成熟しており、従来の光出力レベルを維持しつつ省電力を得ることが困難である。近年、省電力を目的としたランプの改良により、非常に僅かな減少（５％未満）をもたらしている。
【発明の開示】
【発明が解決しようとする課題】
【０００５】
本発明の目的は、従来の光出力レベルを維持しつつ低電力消費を有する蛍光ランプを提供することである。
【課題を解決するための手段】
【０００６】
請求項１に記載された本発明によるランプは、電力消費を低減する改良蛍光塗料を有利に用いることにより当該目的を達成する。省電力電子機器は電力消費及び従って光出力レベルを低減するが、改良傾向塗料により光出力レベルが従来の光出力レベルに保たれ得る。
【０００７】
蛍光ランプでは、蛍光塗料は人間に見えない生成された放射で照射される。不可視光線は蛍光塗料により可視光線、つまり光に変換される。蛍光ランプに用いられる蛍光塗料は、ここ数年に亘り改良されている。蛍光塗料の改良により、蛍光塗料は、同一の放射量を吸収した場合により多くの可視光を出力する。従って、蛍光ランプの光出力は有意に増大される。改良蛍光塗料は高エネルギー効率蛍光塗料として参照されて良い。
【０００８】
本発明によると、光出力が実質的に従来の光出力レベルと等しくなるように、高エネルギー効率蛍光塗料では放射がより少ない。少ない放射が生成されるので、ランプの電力消費が低減し得る。
【０００９】
ある実施例では、省電力電子機器は、蛍光ランプの電極と直列接続された切り替え回路、例えばＴＲＩＡＣ調光回路を有する。切り替え回路は、比較的短期間、例えばＡＣ供給電圧の周期又は半周期毎の短期間の間、放電管へのエネルギー流を遮断するよう構成される。ＴＲＩＡＣ調光回路は従来良く知られた切り替え回路であり、コスト効率良く製造され、及び従来のランプ筐体に組み込まれて良く、それにより本発明のランプを既存の電磁気ランプ・システムに改装部品として組み込ませる。
【００１０】
ある実施例では、省電力回路はバラスト回路と放電管内に設けられた電極との間に接続される。蛍光ランプは、通常、ランプ電流を制限するバラスト回路を用い動作される。このようなバラスト回路は、通常、別個に設けられる。動作中、放電アークは、電極間に現れる。それにより、蛍光塗料を励起する所望の放射が生成される。省電力回路をバラスト回路と電極との間に接続することにより、蛍光ランプのケース内に省電力回路を設けられる。当該実施例では、エネルギー効率の良いランプは、照明システムを変更することなく従来のランプを置き換え、消費を低減しながらも従来の光出力レベルを提供し得る。
【００１１】
以下に、本発明は非限定的な図面を参照して更に説明される。
【発明を実施するための最良の形態】
【００１２】
図１は、供給電圧を受信する２個の供給端子１１、１２を有するバラスト１９と接続された蛍光ランプ１８（ランプ装置とも称される）を示す。蛍光ランプは、省電力回路１３及び放電管１４を有する。１５は、放電管に渡り接続された起動回路である。放電管内には、２個の電極１６、１７が設けられる。放電管１４は、放電電流が電極１６、１７の間で生成されるよう、適切な混合気体で満たされる。放電管１４の内表面には、放電塗料が設けられる。蛍光塗料と混合気体との組み合わせは、高光出力レベルが生成されるようになっている。ある実施例では、起動回路１５はランプ装置内に統合されても良い。点線１９は、蛍光ランプ１を動作する適切なバラストを示す。バラストは、例えばインダクター１９ａ、及び任意でランプ装置１８及びインダクター１９ａと並列接続されたキャパシター１９ｂを有する。
【００１３】
図２は、ＴＲＩＡＣ調光回路を有する省電力回路１３の適切な実施例の例を示す。ＴＲＩＡＣ調光回路は従来知られており、多数の種類のランプを調光する。ＴＲＩＡＣ調光回路は、キャパシター２２と抵抗器２３との直列接続により分路されたＴＲＩＡＣ２１を有する。抵抗器２３は、場合によっては、調整可能な抵抗値を有する抵抗器２３ａと所定の抵抗値を有する抵抗器２３ｂとに分割される。ＴＲＩＡＣ２１の制御端子、及び抵抗器２３とキャパシター２２との間の節点Ｎ１の間に、抵抗器２４及びＤＩＡＣ２５の直列接続が接続される。ＴＲＩＡＣ調光回路は、ＡＣ電流の半周期の一部の間にＡＣ電流を遮断するよう構成される。当該一部の間は、特に、抵抗器２３の抵抗値及びキャパシター２２のキャパシタンスに依存する。従って、一般のＴＲＩＡＣ調光回路では、抵抗器２３は調整可能な抵抗値を有する抵抗器２３ａを有する。抵抗器２３の抵抗値の調整は、結果としてＴＲＩＡＣ調光回路と接続されたランプの光出力を調整する。本発明のある実施例による省電力回路１３では、抵抗器２３の抵抗値は所定の光出力レベルを提供するよう予め定められて良い。
【００１４】
図１及び２を参照すると、上述のように、ランプ１の蛍光塗料は高効率蛍光塗料、例えば効率の良い燐光性塗料である。従って従来の公称電力消費で、従来の蛍光ランプの光出力と比較してより多い光が出力される。電力消費を低減するため、蛍光ランプ１は省電力回路１３を設けられ、それにより光出力が低下する。省電力回路１３は、動作中に少なくとも従来のランプの光出力レベルが得られるように構成されて良い。
【００１５】
上述のように、図２に示された回路１３は適切な省電力回路１３を有する。ランプ１の光出力レベルは、抵抗器２３の抵抗値及びキャパシター２２のキャパシタンスを選択することにより予め定められる。
【００１６】
図２に示された回路を用い最大６０％の省電力が可能であることが分かっている。実際には、光出力レベルが実質的に従来の光出力レベルに等しく保たれる場合、少なくとも１５％の省電力が得られる。
【００１７】
従来のランプの筐体内に組み込まれた省電力回路では、本発明による蛍光ランプ１は、専用ランプ・システムを必要とせず、一般的な従来の電磁気式ランプ・システムで使用可能である。
【００１８】
注目すべき点は、図３に示されたように、ランプ装置１８で、放電管１４及び起動回路１５が２個の逆並列ＬＥＤ列により置き換えられて良いことである。或いは、図４に示されたように、放電管１４及び起動回路１５が整流器と単一のＬＥＤ列により置き換えられて良いことである。望ましくは、ランプ装置は接続ピンを更に備えられ、及び従来の蛍光ランプの改装部品ランプとして用いられるよう大きさを決められて良い。図３及び４の両図はこのようなランプ装置を示す。
【図面の簡単な説明】
【００１９】
【図１】本発明による、バラストと接続された蛍光ランプの実施例を示す。
【図２】本発明による蛍光ランプで用いられる省電力回路の概略図である。
【図３】本発明による、２個の逆並行ＬＥＤ列、省電力回路、及びコネクタ・ピンを有するランプ装置の概略図を示す。
【図４】本発明による、単一のＬＥＤ列、整流器、省電力回路、及びコネクタ・ピンを有するランプ装置の概略図を示す。
【図１】
2009517803.tif 000003
【図２】
2009517803.tif 000004
【図３】
2009517803.tif 000005
【図４】
2009517803.tif 000006
【国際調査報告】
2009517803.tif 000007
2009517803.tif 000008
2009517803.tif 000009
2009517803.tif 000010
2009517803.tif 000011